(57)【特許請求の範囲】
【請求項１】
凹凸粗面化された胴面にコンクリートやモルタルの通水用間隙又は目穴（１１ａ）が開口分布するアンカーボルト受け入れスリーブ（１１）を、布基礎（Ｃ）の補強鉄筋（１０）に結束された垂立状態として、その布基礎（Ｃ）の打設コンクリートにより柱（Ｙ）との対応的な予定位置へ埋設一体化させ、
次いで、上記アンカーボルト受け入れスリーブ（１１）の内部へグラウトモルタル（Ｍ）を充填するとほぼ同時に、予じめ土台（Ｘ）への差し込み貫通状態に組立一体化されているアンカーボルト（１２）もその受け入れスリーブ（１１）の内部へ、柱（Ｙ）との芯出し状態に位置調整し乍ら植え込み垂立させることにより、上記土台（Ｘ）を布基礎（Ｃ）の上面に設置して、
上記グラウトモルタル（Ｍ）の硬化後に、その土台（Ｘ）の上面から張り出し垂立しているアンカーボルト（１２）の上端部へ、上方からホールダウン金物（Ａ）を一連の垂立状態に螺合締結し、
上記ホールダウン金物（Ａ）へ最後に上方から差し込み嵌合させた柱（Ｙ）を、その柱（Ｙ）とホールダウン金物（Ａ）に貫通横断する固定ピン（Ｐ）により、上記土台（Ｘ）と軸組み一体化させることを特徴とする木造建築物における柱と布基礎との締結工法。
【請求項２】
アンカーボルト（１２）を一定長さ（ｈ２）の異形鉄筋として、その上端部に雄ネジ（１２ａ）を切削加工すると共に、同じく中途高さ位置にアンカーボルト受け入れスリーブ（１１）の口径（ｏ）よりも小さな外径（ｄ）の円形張り出しフランジ（１２ｂ）を溶接する一方、
上記アンカーボルト（１２）と組立一体化される土台（Ｘ）の下面に張り出しフランジ用逃し入れ凹溝（１５）と、同じく上面に固定ナット用逃し入れ凹溝（１６）とを切り欠き加工して、
上記アンカーボルト（１２）の張り出しフランジ（１２ｂ）により下方から受け止めた土台（Ｘ）を、同じくアンカーボルト（１２）の上記雄ネジ（１２ａ）へ螺合締結される固定ナット（１３）によって、上方から押え付け拘束することを特徴とする請求項１記載の木造建築物における柱と布基礎との締結工法。
【発明の詳細な説明】
【０００１】
【発明の属する技術分野】
本発明は木造建築物における柱と布基礎との締結工法に関する。
【０００２】
【従来の技術】
一般に木造建築物の柱を布基礎へ、土台を介して締結する場合、アンカーボルトを柱との対応位置関係において、その布基礎へ正確な芯出し状態に埋設しておくことは至難の業であり、仮令基準墨に従ったとしても、必らずや位置ズレを生じ、このような事態は特に角隅部の通し柱（隅柱）について顕著となる。
【０００３】
そこで、従来では実用新案登録第３００８１７８号から例示されるように、ほぞ部材（ホールダウン金物）（２０）のみならず、アンカーボルト（３０１）よりも径大な貫通孔（１１ｂ）（１１ｃ）が開口形成されたベースレート（１０）も用意して、これによりアンカーボルト（３０１）の位置ズレを吸収し乍ら、布基礎（３００）へ土台（１００）と柱（２００）を締結一体化している。
【０００４】
つまり、建築現場において先ず布基礎（３００）の上面から垂立しているアンカーボルト（３０１）へ、土台（１００）のアンカー孔（１０２）を差し込むと共に、その土台（１００）のほぞ孔（１０１）へ上方からほぞ部材（２０）の下部を差し込み垂立させる。
【０００５】
次いで、土台（１００）の上面から垂立しているほぞ部材（２０）の上部とアンカーボルト（３０１）へ、ベースレート（１０）の貫通孔（１１ａ）（１１ｂ）（１１ｃ）を対応的に差し込んだ上、その貫通孔（１１ｂ）（１１ｃ）よりも径大なワッシャ（４１）を介して、アンカーボルト（３０１）へナット（４０）を螺合締結すると共に、ベースレート（１０）の釘孔（１２）へ釘を打ち込んで、そのベースレート（１０）と土台（１００）を布基礎（３００）の上面へ固定する。
【０００６】
その後、土台（１００）の上面から垂立しているほぞ部材（２０）の上部へ、柱（２００）のほぞ穴（２０１）を差し込んだ上、土台（１００）のピン孔（１０３）と柱（２００）のピン孔（２０２）からほぞ部材（２０）のピン貫通孔（２１ａ）（２１ｂ）（２１ｃ）を経て、複数のピン（３０）を打ち込み横断させることにより、柱（２００）を土台（１００）の上面へ固定している。
【０００７】
【発明が解決しようとする課題】
ところが、このような公知考案の構成では、布基礎（３００）に対する土台（１００）の固定位置（アンカーボルトの垂立位置）と、その土台（１００）に対する柱（２００）の固定位置（ほぞ部材の垂立位置）とが異なり、互いに分離しているため、布基礎（３００）に対して柱（２００）を一連の高強度な締結固定状態に維持することができない。
【０００８】
部品点数が多く、一文字型やＬ字型、Ｔ字型、十字型の各種べープレート（１０）を使い分けるなどの甚だ複雑・面倒な作業を要するにも拘らず、未だ木造３階建の住宅における構造耐力上の安全性に劣るのである。
【０００９】
【課題を解決するための手段】
本発明はこのような課題の改良を企図しており、そのための構成上第１に凹凸粗面化された胴面にコンクリートやモルタルの通水用間隙又は目穴が開口分布するアンカーボルト受け入れスリーブを、布基礎の補強鉄筋に結束された垂立状態として、その布基礎の打設コンクリートにより柱との対応的な予定位置へ埋設一体化させ、
【００１０】
次いで、上記アンカーボルト受け入れスリーブの内部へグラウトモルタルを充填するとほぼ同時に、予じめ土台への差し込み貫通状態に組立一体化されているアンカーボルトもその受け入れスリーブの内部へ、柱との芯出し状態に位置調整し乍ら植え込み垂立させることにより、上記土台を布基礎の上面に設置して、
【００１１】
上記グラウトモルタルの硬化後に、その土台の上面から張り出し垂立しているアンカーボルトの上端部へ、上方からホールダウン金物を一連の垂立状態に螺合締結し、
【００１２】
上記ホールダウン金物へ最後に上方から差し込み嵌合させた柱を、その柱とホールダウン金物に貫通横断する固定ピンにより、上記土台と軸組み一体化させることを特徴とするものである。
【００１３】
【発明の実施の形態】
以下、図面に基いて本発明の詳細を説明すると、図１〜３は本発明による木造建築物の柱（角隅部の通し柱）（Ｙ）と、布基礎（Ｃ）との締結施工状態を示しており、（１０）はそのコンクリート造りの布基礎（Ｃ）に埋設された補強鉄筋、（１１）はその補強鉄筋（１０）と結束された垂立状態として、同じく布基礎（Ｃ）における柱（Ｙ）との対応的な予定位置（角隅部）へ埋設一体化されたアンカーボルト受け入れスリーブであり、その開口上端部が布基礎（Ｃ）の上面とほぼ面一状態に保たれる。
【００１４】
アンカーボルト受け入れスリーブ（１１）は、図２、３のようなアンカーボルト（１２）よりも太い一定の口径（ｏ）と、そのアンカーボルト（１２）よりも深く埋め込まれることになる一定の長さ（ｈ１）とを有する好ましくは耐アルカリ性合成樹脂のコルゲート管や金属螺旋管などの管状体から成り、特にその凹凸粗面化された胴面には、多数の通水用間隙又は目穴（１１ａ）が設けられている。（１１ｂ）はその胴面の粗面化された凹部又は／及び凸部を示している。
【００１５】
茲に、アンカーボルト受け入れスリーブ（１１）の胴面を凹凸粗面化した理由は、布基礎（Ｃ）のコンクリートや後述するグラウトモルタルとの喰い付き力を昂め、これらの打設・充填時に圧縮力が作用するも、決して潰れない扁平強度を初め、高い衝撃強度や引張（引抜）強度を発揮させることにある。
【００１６】
又、同じくアンカーボルト受け入れスリーブ（１１）の胴面に開口分布する通水用間隙又は目穴（１１ａ）は、上記コンクリートやグラウトモルタルの含有水分を浸透させ得るも、その粒度の大きな骨材の侵入を遮断すると共に、これらの打設・充填時に加わる圧縮力を逃すためのものである。
【００１７】
この点、図４、５では高密度ポリエチレンのコルゲート管から成るアンカーボルト受け入れスリーブ（１１）を例示しているが、その可撓性を必要条件とするものではなく、上記諸機能を発揮し得る管状体である限り、そのアンカーボルト受け入れスリーブ（１１）を図６〜８のようなリブラスやワイヤーラス、その他の金網材から所定の口径（ｏ）に巻き曲げ立体化しても良い。その図示したリブラスのリブが上記胴面の凸部（１１ｂ）として、同じく網目が上記目穴（１１ａ）として各々機能することになる。
【００１８】
先に一言したアンカーボルト（１２）は図９のような一定長さ（ｈ２）の異形鉄筋から成り、上記布基礎（Ｃ）のコンクリートに埋設一体化されたアンカーボルト受け入れスリーブ（１１）の内部へ、その後に上方から植え込み垂立されて、そのスリーブ（１１）の内部へ充填されるグラウトモルタル（Ｍ）の硬化により、上記布基礎（Ｃ）への埋設状態が固定維持されることとなる。
【００１９】
（１２ａ）はその布基礎（Ｃ）の上面から張り出し垂立するアンカーボルト（１２）の上端部に切削加工された雄ネジであり、これには上方から固定ナット（１３）が螺合締結されるようになっている。（１２ｂ）はそのアンカーボルト（１２）の中途高さ位置に溶接一体化された張り出しフランジであって、上記アンカーボルト受け入れスリーブ（１１）の口径（ｏ）よりも小さな外径（ｄ）の円板型を呈している。
【００２０】
（Ｘ）は布基礎（Ｃ）と柱（Ｙ）との相互間に介在する土台であり、図２に示す如く、上記アンカーボルト（１２）の張り出しフランジ（１２ｂ）により下方から受け止められた状態のもとで、そのアンカーボルト（１２）の雄ネジ（１２ａ）に対する固定ナット（１３）の螺合締結によって、上方から押え付け拘束されている。
【００２１】
（１４）はその土台（Ｘ）の就中角隅部に貫通形成された垂直なアンカーボルト受け入れ孔、（１５）は土台（Ｘ）の下面に切り欠き加工された円形の逃し入れ凹溝であり、上記アンカーボルト（１２）の張り出しフランジ（１２ｂ）を逃し入れる。（１６）は同じく土台（Ｘ）の上面に切り欠き加工された円形の逃し入れ凹溝であり、上記固定ナット（１３）を逃し入れる。このような円形の逃し入れ凹溝（１５）（１６）は回転刃物の使用により、その土台（Ｘ）へ容易に切り欠くことができる。
【００２２】
又、（１７）は床下換気口を確保するため、上記土台（Ｘ）の下面と布基礎（Ｃ）の上面との相互間に介挿された硬質な合成樹脂製の土台受けパッキングであり、これにも上記アンカーボルト（１２）の受け入れ孔（１８）が貫通形成されている。
【００２３】
更に、（Ａ）は上記土台（Ｘ）と柱（Ｙ）とを軸組みするほぞピン形態のホールダウン金物であって、図１０に示すような一定の太さと長さを有する鋼管から成るが、その下端部は特に雌ネジ口筒（１９）として細く絞り加工されており、土台（Ｘ）の上面から張り出し垂立する上記アンカーボルト（１２）の雄ネジ（１２ａ）へ、その上方から継ぎ足しの垂立状態に螺合締結されるようになっている。
【００２４】
しかも、上記ホールダウン金物（Ａ）の残る太い胴面には、複数の固定ピン受け入れ貫通孔（２０）がその隣り合う上下相互間での直交する指向状態として、水平に横断しており、その内部へ横方向から固定ピン（Ｐ）を差し込むことができるようになっている。
【００２５】
他方、上記柱（Ｙ）の下端部にはホールダウン金物（Ａ）の受け入れ凹溝（２１）が、その下向き円形に開口する一定深さの盲穴形態として切り欠き加工されているほか、上記ホールダウン金物（Ａ）の固定ピン受け入れ貫通孔（２０）と合致連通する固定ピン受け入れ孔（２２）の複数も、やはりその隣り合う上下相互間での直交する指向状態に開口分布されている。
【００２６】
そして、上記アンカーボルト（１２）の雄ネジ（１２ａ）へ螺合締結されることにより、土台（Ｘ）の上面から張り出し垂立するホールダウン金物（Ａ）に対して、上方から柱（Ｙ）のホールダウン金物受け入れ凹溝（２１）を差し込み嵌合させた上、その柱（Ｙ）の固定ピン受け入れ孔（２２）からホールダウン金物（Ａ）の固定ピン受け入れ貫通孔（２０）へ、各々固定ピン（Ｐ）を差し込み横断させることにより、その柱（Ｙ）を土台（Ｘ）へ軸組み一体化するのである。
【００２７】
その際、上記固定ピン（Ｐ）としてはハンマーなどにより叩打される所謂こみ栓を採用してもさしつかえないが、特に図１１、１２のような回動操作工具（２３）を使って、柱（Ｙ）の上記固定ピン受け入れ孔（２２）へねじ込まれる金属製品を用いることが望ましい。
【００２８】
つまり、図１１、１２に示した固定ピン（Ｐ）では、鋼管から成る円筒型ピン本体（２４）の頭部（２５）が、上記柱（Ｙ）の固定ピン受け入れ孔（２２）よりも若干径大な長軸を備えたほぼ楕円形に塑性変形されており、しかもその頭部（２５）の外周面全体に刻設された雄ネジ（２６）が、上記固定ピン受け入れ孔（２２）の内周面へ喰い付くようになっている。
【００２９】
（２７）は上記塑性変形の結果として、その頭部（２５）に開口するほぼ楕円形の工具係止孔であり、ここへ回動操作工具（２３）を直接に、又は適当なビットなどの嵌合アダプター（２８）を介して抜き差し自在に差し込み係止させ、その回動操作工具（２３）により固定ピン（Ｐ）を回動操作して、上記柱（Ｙ）の固定ピン受け入れ孔（２２）へねじ込み使用するのであり、これによれば木造建築中の激しい振動や衝撃を受けるも、不慮に抜け出すおそれがなく、それにも拘らず上記回動操作工具（２３）の逆転操作によって、上記固定ピン受け入れ孔（２２）から固定ピン（Ｐ）を意図的に抜き出すこともできる利点がある。
【００３０】
又、図１０では鋼管から成るほぞピン形態のホールダウン金物（Ａ）を示したが、これに代る図１３〜１５のような繊維強化樹脂からの一体成形品や、図１６のような鋼板からの溶接品を採用することも可能である。
【００３１】
その図１３〜１６に示す２種のホールダウン金物（Ａ）は実質上同一形態として、土台（Ｘ）への係止円板（２９）とその直径線上から柱（Ｙ）に向かって一定長さ（ｈ３）だけ一体的に張り出すことにより、その柱（Ｙ）へ埋め込まれることになる埋込み翼板（３０）とから、正面視のほぼ倒立Ｔ字型をなしている。
【００３２】
（３１）はその埋込み翼板（３０）における係止円板（２９）との隣り合う基端部に開口形成されたナット挿入窓、（３２）は上記係止円板（２９）の中心部からナット挿入窓（３１）に向かって貫通形成されたアンカーボルト受け入れ孔、（３３）は同じく係止円板（２９）の偏心部に開口形成されたビス受け入れ孔である。
【００３３】
そして、図１７の使用状態から明白なように、上記係止円板（２９）のアンカーボルト受け入れ孔（３２）が土台（Ｘ）の上面から張り出し垂立するアンカーボルト（１２）へ差し込まれ、そのホールダウン金物（Ａ）の埋込み翼板（３０）が正規な指向状態となるように、上記係止円板（２９）のビス受け入れ孔（３３）から土台（Ｘ）へねじ込まれる皿ビス（３４）により、一旦仮り止め状態に保った後、上記アンカーボルト（１２）の雄ネジ（１２ａ）へナット挿入窓（３１）を通じて、固定ナット（１３）が螺合締結されるようになっている。その場合、上記土台（Ｘ）の上面に切り欠かれた円形の逃し入れ凹溝（１６）が、その係止円板（２９）を逃し入れることになる。
【００３４】
上記柱（Ｙ）の下端部に切り欠かれたホールダウン金物受け入れ凹溝（２１）は、その埋込み翼板（３０）と対応する割溝形態をなしており、これが上記ホールダウン金物（Ａ）の埋込み翼板（３０）へ差し込まれた後、その柱（Ｙ）の固定ピン受け入れ孔（２２）から埋込み翼板（３０）に対応開口する固定ピン受け入れ貫通孔（２０）へ、固定ピン（Ｐ）が差し込み横断されることは、図１０に示したほぞピン形態のホールダウン金物（Ａ）と同様である。
【００３５】
上記のような木造建築物の柱（Ｙ）と布基礎（Ｃ）とを、施工現場において締結作業するに当っては、先ず布基礎（Ｃ）の成形用型枠（図示省略）内へ補強鉄筋（１０）のみならず、アンカーボルト受け入れスリーブ（１１）もその補強鉄筋（１０）との結束状態として、柱（Ｙ）との対応的な予定位置へ固定垂立させた上、コンクリートの打設により布基礎（Ｃ）を塑造する。
【００３６】
その際、アンカーボルト受け入れスリーブ（１１）はコンクリートの含有水分を透過させ得るも、粒度の大きな骨材の侵入を遮断して、凹凸粗面化された胴面やその胴面の間隙又は目穴（１１ａ）にコンクリートが喰い付くため、図１８のように布基礎（Ｃ）へ高強度に埋設一体化されることとなり、そのアンカーボルト受け入れスリーブ（１１）が内部の空洞に保たれる。
【００３７】
他方、土台（Ｘ）のアンカーボルト受け入れ孔（１４）へ下方からアンカーボルト（１２）を差し込み貫通させ、そのアンカーボルト（１２）の張り出しフランジ（１２ｂ）により受け止められた状態の土台（Ｘ）を、その上面から張り出し垂立するアンカーボルト（１２）の雄ネジ（１２ａ）へ、螺合締結される固定ナット（１３）により上方から押え付けて、その土台（Ｘ）とアンカーボルト（１２）とを予じめ組立一体化しておく。
【００３８】
そして、次に上記布基礎（Ｃ）に埋設されているアンカーボルト受け入れスリーブ（１１）の内部へ、上方からグラウトモルタル（Ｍ）を充填するとほぼ同時に、上記アンカーボルト（１２）をアンカーボルト受け入れスリーブ（１１）の内部へ植え込み垂立させることにより、その土台（Ｘ）を布基礎（Ｃ）の上面に設置して、上記グラウトモルタル（Ｍ）の硬化を待つのである。
【００３９】
上記アンカーボルト（１２）を植え込み垂立させる際、そのアンカーボルト受け入れスリーブ（１１）はアンカーボルト（１２）よりも太い口径（ｏ）を有するため、その融通性によってアンカーボルト（１２）を柱（Ｙ）との正確な芯出し状態に位置調整することができ、やがてグラウトモルタル（Ｍ）の硬化により、上記アンカーボルト（１２）も図１９のような布基礎（Ｃ）への埋設状態に固定一体化されることとなる。尚、上記土台受けパッキング（１７）はアンカーボルト（１２）へ下方から通し込みセットしておけば良く、その布基礎（Ｃ）に対する土台（Ｘ）の設置により、自づと床下換気口が生成される。
【００４０】
上記布基礎（Ｃ）に対する土台（Ｘ）の設置状態では、その土台（Ｘ）の上面から依然としてアンカーボルト（１２）が張り出し垂立しているため、引き続きそのアンカーボルト（１２）の雄ネジ（１２ａ）に対して、ほぞピン形態をなすホールダウン金物（Ａ）の雌ネジ口筒（１９）を、図２０のように上方から螺合締結することにより、上記アンカーボルト（１２）からの一連に垂立させるのである。
【００４１】
上記ホールダウン金物（Ａ）として、正面視のほぼ倒立Ｔ字形態品を採用する場合には、そのホールダウン金物（Ａ）の係止円板（２９）を図１７のように、土台（Ｘ）の上面に切り欠かれている円形の逃し入れ凹溝（１６）へ嵌め付けて、上記ナット挿入窓（３１）からアンカーボルト（１２）の雄ネジ（１２ａ）へ固定ナット（１３）を螺合締結することにより、そのアンカーボルト（１２）からやはり一連に垂立させれば良い。
【００４２】
何れにしても、上記アンカーボルト（１２）からはホールダウン金物（Ａ）が張り出し垂立するため、次にそのホールダウン金物（Ａ）に対して上方から柱（Ｙ）のホールダウン金物受け入れ凹溝（２１）を差し込んだ上、その柱（Ｙ）の固定ピン受け入れ孔（２２）からホールダウン金物（Ａ）の固定ピン受け入れ貫通孔（２０）へ、図２、１７のように固定ピン（Ｐ）を差し込み横断させて、その柱（Ｙ）を土台（Ｘ）と軸組み一体化するのであり、そうすれば土台（Ｘ）を介して、柱（Ｙ）と布基礎（Ｃ）との高強度な締結固定状態を得ることができ、木造３階建ての住宅における構造耐力上の安全性に優れる。
【００４３】
【発明の効果】
以上のように、本発明では木造建築物における柱（Ｙ）と布基礎（Ｃ）との締結工法として、凹凸粗面化された胴面にコンクリートやモルタルの通水用間隙又は目穴（１１ａ）が開口分布するアンカーボルト受け入れスリーブ（１１）を、布基礎（Ｃ）の補強鉄筋（１０）に結束された垂立状態として、その布基礎（Ｃ）の打設コンクリートにより柱（Ｙ）との対応的な予定位置へ埋設一体化させ、
【００４４】
次いで、上記アンカーボルト受け入れスリーブ（１１）の内部へグラウトモルタル（Ｍ）を充填するとほぼ同時に、予じめ土台（Ｘ）への差し込み貫通状態に組立一体化されているアンカーボルト（１２）もその受け入れスリーブ（１１）の内部へ、柱（Ｙ）との芯出し状態に位置調整し乍ら植え込み垂立させることにより、上記土台（Ｘ）を布基礎（Ｃ）の上面に設置して、
【００４５】
上記グラウトモルタル（Ｍ）の硬化後に、その土台（Ｘ）の上面から張り出し垂立しているアンカーボルト（１２）の上端部へ、上方からホールダウン金物（Ａ）を一連の垂立状態に螺合締結し、
【００４６】
上記ホールダウン金物（Ａ）へ最後に上方から差し込み嵌合させた柱（Ｙ）を、その柱（Ｙ）とホールダウン金物（Ａ）に貫通横断する固定ピン（Ｐ）により、上記土台（Ｘ）と軸組み一体化させるようになっているため、冒頭に述べた従来技術の課題を完全に改良できる効果がある。
【００４７】
即ち、本発明の上記構成によれば、布基礎（Ｃ）のコンクリート打設時にアンカーボルト（１２）よりも太い口径（ｏ）のアンカーボルト受け入れスリーブ（１１）を、その補強鉄筋（１０）に結束された垂立状態として、柱（Ｙ）と対応する予定位置に埋設一体化してあり、予じめ土台（Ｘ）への差し込み貫通状態に組立一体化されているアンカーボルト（１２）を、その後上記アンカーボルト受け入れスリーブ（１１）の内部へ、グラウトモルタル（Ｍ）の充填とほぼ同時に植え込み垂立させる際、上記アンカーボルト受け入れスリーブ（１１）の融通性によって、そのアンカーボルト（１２）を柱（Ｙ）との正確な芯出し状態に位置調整し、その調整されたアンカーボルト（１２）の埋設状態を、上記グラウトモルタル（Ｍ）の硬化により固定するようになっているため、布基礎（Ｃ）に対して土台（Ｘ）を固定するアンカーボルト（１２）の垂立位置と、その土台（Ｘ）に対して柱（Ｙ）を固定するホールダウン金物（Ａ）の垂立位置とが、必らず同一軸線上に対応合致し、その結果柱（Ｙ）を布基礎（Ｃ）と一連の高強度な締結固定状態に保てるのであり、木造３階建の住宅にもふさわいしい耐震性を得られることとなる。
【００４８】
その場合、アンカーボルト受け入れスリーブ（１１）の胴面は布基礎（Ｃ）のコンクリートや上記グラウトモルタル（Ｍ）と喰い付きやすく凹凸粗面化されており、しかもその胴面に開口分布する間隙又は目穴（１１ａ）が、実質上コンクリートやモルタルの水分だけを透過させるようになっているため、そのアンカーボルト受け入れスリーブ（１１）の内部へ確実にグラウトモルタル（Ｍ）を充填できることは勿論、その埋設状態での高い引張（引抜）強度を発揮させ得るのであり、その意味からも木造３階建の住宅における構造耐力上の安全性に優れる。
【００４９】
特に、請求項２の構成を採用するならば、土台（Ｘ）とアンカーボルト（１２）とを強固に安定良く組立一体化することができ、その土台（Ｘ）を下方から受け止めるアンカーボルト（１２）の張り出しフランジ（１２ｂ）と、同じく土台（Ｘ）を上方から押え付ける固定ナット（１３）は、何れも土台（Ｘ）の対応的な逃し入れ凹溝（１５）（１６）へ逃し入れられるようになっているため、布基礎（Ｃ）の上面に対する土台（Ｘ）の設置やその土台（Ｘ）に対する柱（Ｙ）の軸組みも、支障なく正確に行なえる効果があり、現場作業性にも役立つ。
【図面の簡単な説明】
【図１】  本発明による柱と布基礎との締結施工状態を示す斜面図である。
【図２】  図１の中央縦断面図である。
【図３】  図２の３−３線に沿う拡大断面図である。
【図４】  本発明において使用するアンカーボルト受け入れスリーブを抽出して示す半欠截断面図である。
【図５】  図４の５−５線に沿う拡大断面図である。
【図６】  別なアンカーボルト受け入れスリーブを示す斜面図である。
【図７】  図６の７−７線に沿う拡大断面図である。
【図８】  図６のアンカーボルト受け入れスリーブを使用した締結施工状態の断面図である。
【図９】  アンカーボルトを抽出して示す斜面図である。
【図１０】  ほぞピン形態のホールダウン金物を抽出して示す半欠截断面図である。
【図１１】  柱の固定ピンを抽出して示す斜面図である。
【図１２】  固定ピンとその回動操作工具を示す斜面図である。
【図１３】  別な繊維強化樹脂製のホールダウン金物を示す斜面図である。
【図１４】  図１３の平面図である。
【図１５】  図１４の１５−１５線断面図である。
【図１６】  更に別な金属製のホールダウン金物を示す斜面図である。
【図１７】  図１３のホールダウン金物を使用した締結施工状態の断面図である。
【図１８】  アンカーボルト受け入れスリーブを布基礎に埋設一体化した作業工程の断面図である。
【図１９】  図１８のアンカーボルト受け入れスリーブ内へ、土台との組立状態にあるアンカーボルトを植え込み垂立させた作業工程の断面図である。
【図２０】  図１９のアンカーボルトへ上方からホールダウン金物を締結した作業工程の断面図である。
【符号の説明】
（１０）・補強鉄筋
（１１）・アンカーボルト受け入れスリーブ
（１１ａ）・目穴（間隙）
（１１ｂ）・凹部（凸部）
（１２）・アンカーボルト
（１２ａ）・雄ネジ
（１２ｂ）・張り出しフランジ
（１３）・固定ナット
（１５）・逃し入れ凹溝
（１６）・逃し入れ凹溝
（１７）・土台受けパッキング
（１９）・雌ネジ口筒
（２０）・固定ピン受け入れ貫通孔
（２１）・ホールダウン金物受け入れ凹溝
（２２）・固定ピン受け入れ孔
（２３）・回動操作工具
（２９）・係止円板
（３０）・埋込み翼板
（３１）・ナット挿入窓
（３３）・ビス受け入れ孔
（３４）・皿ビス
（Ａ）・ホールダウン金物
（Ｃ）・布基礎
（Ｍ）・グラウトモルタル
（Ｐ）・固定ピン
（Ｘ）・土台
（Ｙ）・柱
【図１】
0003671170.tif 000002
【図２】
0003671170.tif 000003
【図３】
0003671170.tif 000004
【図４】
0003671170.tif 000005
【図５】
0003671170.tif 000006
【図６】
0003671170.tif 000007
【図７】
0003671170.tif 000008
【図８】
0003671170.tif 000009
【図９】
0003671170.tif 000010
【図１０】
0003671170.tif 000011
【図１１】
0003671170.tif 000012
【図１２】
0003671170.tif 000013
【図１３】
0003671170.tif 000014
【図１４】
0003671170.tif 000015
【図１５】
0003671170.tif 000016
【図１６】
0003671170.tif 000017
【図１７】
0003671170.tif 000018
【図１８】
0003671170.tif 000019
【図１９】
0003671170.tif 000020
【図２０】
0003671170.tif 000021